(57)【要約】【課題】操作性の向上を図る本発明の押釦スイッチ装置、電波発信器及び照明制御システムを提供する。【解決手段】押釦スイッチ装置１は、ハンドル１１と、弾性体１２と、押釦スイッチ２１とを備える。ハンドル１１は、板状の主部１１１と、主部１１１の一面における中央から突出する突出部１１２とを備える。弾性体１２は、電気絶縁性を有する弾性材料によって、押釦スイッチ２１の押釦２１１よりも大きい板状に形成され、押釦スイッチ２１の押釦２１１と突出部１１２との間に配置される。電波発信器８は、押釦スイッチ装置１と、無線発信ユニット８３と、押釦スイッチ装置１と無線発信ユニット８３とを収納するハウジング３０とを備える。照明制御システムは、電波発信器８と、制御装置９とを備える。【選択図】図３
2016134658.tif 000002
【特許請求の範囲】
【請求項１】
ハンドルと、弾性体と、押釦スイッチとを備え、
前記ハンドルは、板状の主部と、前記主部の一面における中央から突出する突出部とを備え、
前記弾性体は、電気絶縁性を有する弾性材料によって、押釦スイッチの押釦よりも大きい板状に形成され、前記押釦スイッチの押釦と前記突出部との間に配置される
ことを特徴とする押釦スイッチ装置。
【請求項２】
前記弾性体は、前記ハンドルに取り付けられることを特徴とする請求項１記載の押釦スイッチ装置。
【請求項３】
前記弾性体は、シリコーン樹脂製であることを特徴とする請求項１又は２記載の押釦スイッチ装置。
【請求項４】
前記弾性体は、円形状に形成されることを特徴とする請求項１乃至３何れか一項に記載の押釦スイッチ装置。
【請求項５】
請求項１乃至４の何れか一項に記載の押釦スイッチ装置と、無線発信ユニットと、前記押釦スイッチ装置と前記無線発信ユニットとを収納するハウジングとを備え、
前記ハウジングは、前記ハンドルを外部から押し操作可能なように構成され、
前記無線発信ユニットは、前記押釦スイッチ装置が操作されることで、電波を媒体とする操作信号を発信するように構成される
ことを特徴とする電波発信器。
【請求項６】
請求項５記載の電波発信器と、制御装置とを備え、
前記制御装置は、前記電波発信器から発信された操作信号を受信し、当該操作信号に応じて照明負荷を点灯及び消灯させるように構成される
ことを特徴とする照明制御システム。
【請求項７】
前記制御装置は、前記電波発信器から発信された操作信号を受信し、当該操作信号に応じて照明負荷を調光点灯させるように構成される
ことを特徴とする請求項６記載の照明制御システム。
【発明の詳細な説明】
【技術分野】
【０００１】
本発明は、押釦スイッチ装置、当該押釦スイッチ装置を備える電波発信器、及び当該電波発信器を用いる照明制御システムに関する。
【背景技術】
【０００２】
従来、複数のスイッチを備え、前記スイッチの押下などの状態の変化により、その情報を操作データとして伝送する操作用端末器が提供されている（特許文献１参照）。
【０００３】
特許文献１記載の操作用端末器は、プリント基板と、このプリント基板が収納される矩形箱状の合成樹脂成形体のハウジングを備える。
【０００４】
プリント基板の表面には、押釦スイッチからなる４個のスイッチが実装されている。ハウジングは、カバーと、ボディとを備える。カバーは、裏面が開口された略箱形に形成されており、前方に突設された突出部と、各スイッチに対応し、突出部に一体に形成されたハンドルとを備える。突出部の前面には、切溝によって、ヒンジ部とハンドルがカバーと一体に形成されている。ハンドルは、ヒンジ部を支点として前後方向に揺動自在に形成され、プリント基板に実装された複数のスイッチにそれぞれ略対向して配置される。
【０００５】
カバーに設けられたハンドルの後面略中央部には、操作用リブが突設され、さらにハンドルの後面側長手方向の両端部には、押込み防止用リブが形成されている。押込み防止用リブは、ハンドルの後面からカバーの縁近くまで略垂直に突出し、ハンドルとともに一体に形成された略三角形の補強用リブによって補強されている。
【０００６】
ハンドルの操作用リブは、プリント基板に実装されたスイッチの操作部の先端部に当接する。このとき、ハンドルは、プリント基板に略平行に配置される。そして、押込み防止用リブの先端部は、プリント基板の近傍において略対向して配置される。
【０００７】
押釦スイッチのハンドルはヒンジ部を支点として前後方向に揺動自在に形成されており、ユーザがハンドルを押し込むと、スイッチ操作部がハンドル操作用リブに押圧されて、押釦スイッチがオンされる。そして、ハンドルがさらに押し込まれたとき、押込み防止用リブの先端部がプリント基板に当接することで、ハンドルの必要以上の押込みが規制される。
【０００８】
また、特許文献１記載の操作用端末器は、遠隔監視システムに用いられる。遠隔監視システムでは、スイッチの操作状態を監視する複数個の操作用端末器、負荷を制御する複数個の制御用端末器が２線式の信号線を介して接続されている。操作用端末器、制御用端末器には、それぞれ個別のアドレスが設定され、このアドレスを用いて個別に認識される。
【先行技術文献】
【特許文献】
【０００９】
【特許文献１】特開２００１−０８６５７７号公報
【発明の概要】
【発明が解決しようとする課題】
【００１０】
ところで、特許文献１記載のスイッチにおいて、ハンドルは、操作用リブが押釦スイッチの押釦に当接されていることで保持されている。ハンドルの押される位置によっては、ハンドルが操作用リブを支点に傾き、押込み防止用リブの一部がプリント基板に当接するので、ハンドルのがたつきが生じ易くなる。
【００１１】
本発明は上記事由に鑑みてなされており、操作性の向上を図ることが可能な押釦スイッチ装置、電波発信器、及び照明制御システムを提供することを目的とする。
【課題を解決するための手段】
【００１２】
本発明の押釦スイッチ装置は、ハンドルと、弾性体と、押釦スイッチとを備え、前記ハンドルは、板状の主部と、前記主部の一面における中央から突出する突出部とを備え、前記弾性体は、電気絶縁性を有する弾性材料によって、押釦スイッチの押釦よりも大きい板状に形成され、前記押釦スイッチの押釦と前記突出部との間に配置されることを特徴とする。
【００１３】
本発明の電波発信器は、押釦スイッチ装置と、無線発信ユニットと、前記押釦スイッチと前記無線発信ユニットとを収納するハウジングとを備え、前記ハウジングは、前記ハンドルを外部から押し操作可能なように構成され、前記無線発信ユニットは、前記押釦スイッチ装置が操作されることで、電波を媒体とする操作信号を発信するように構成されることを特徴とする。
【００１４】
本発明の照明制御システムは、電波発信器と、制御装置とを備え、前記制御装置は、前記電波発信器から発信された操作信号を受信し、当該操作信号に応じて照明負荷を点灯及び消灯させるように構成されることを特徴とする。
【発明の効果】
【００１５】
本発明の押釦スイッチ装置、電波発信器及び照明制御システムは、操作性の向上を図ることができるという効果がある。
【図面の簡単な説明】
【００１６】
【図１】実施形態１の押釦スイッチ装置の分解斜視図である。
【図２】実施形態１の押釦スイッチ装置の一部省略した横断面図である。
【図３】実施形態１の電波発信器の前方から見た分解斜視図である。
【図４】実施形態１の電波発信器の一部省略した後方から見た分解斜視図である。
【図５】実施形態１の電波発信器の回路構成図である。
【図６】実施形態１の照明制御システムの回路構成図である。
【図７】実施形態２の照明制御システムの回路構成図である。
【発明を実施するための形態】
【００１７】
本発明に係る押釦スイッチ装置１を備える電波発信器８、及び電波発信器８を用いた照明制御システムの実施形態について図を参照して詳細に説明する。以下の説明において、特に断りのない限り、図３において上下左右前後の各方向を規定する。
（実施形態１）
まず、本実施形態の押釦スイッチ装置１について、図１から図３を参照して説明する。
【００１８】
押釦スイッチ装置１は、図１及び図２に示すように、弾性体１２と、ハンドル１１と、押釦スイッチ２１とを備える。
【００１９】
弾性体１２は、電気絶縁性を有する弾性材料、例えばシリコーン樹脂によって形成されていることが好ましい。弾性体１２は、図２に示すように、押釦スイッチ２１の押釦２１１よりも大きい円形板状に形成され、一面（後面）を押釦スイッチ２１の押釦２１１に当てるように配設されていることが好ましい。
【００２０】
ハンドル１１は、図１に示すように、主部１１１と、突出部１１２と、４個の係止爪１１３と、４個の保持片１１４とを備えることが好ましい。主部１１１は、略矩形板状に形成されている。突出部１１２は、主部１１１の後面における中央から後方に突出する円柱型に形成されている。４個の係止爪１１３は、主部１１１の後面から突出する前後方向から見た形状が扇型である柱状に形成されて、先端には内側に突出する爪部１１３１を備える。４個の係止爪１１３は、内周縁が弾性体１２の外周より少し大きく、かつ互いの間隔が均等に形成されている。４個の係止爪１１３の爪部１１３１は、弾性体１２の押釦２１１と接する面（後面）を外側から引っ掛けて弾性体１２を係止する。４個の保持片１１４は、主部１１１の後面から突出する前後方向から見た形状が扇型である柱状に形成されて、弾性体１２の前面かつ周縁近くに接している。なお、保持片１１４は、突出部１１２よりも長くかつ係止爪１１３よりも短く形成されている（図２参照）。つまり、弾性体１２は、４個の係止爪１１３と４個の保持片１１４との間に挟み込まれて保持されている。
【００２１】
また、ハンドル１１は、図１及び図２に示すように、６個の引掛爪１１５と、６個の支持片１１６と、突部１１７とを備えている。６個の引掛爪１１５は、直方体に形成されて、先端に爪部１１５１が形成されており、主部１１１の後面に設けられている。４個の引掛爪１１５は、主部１１１の上端及び下端においてそれぞれ左右に間隔を空けて２箇所ずつ設けられている。また、残りの２個の引掛爪１１５は、主部１１１の左端及び右端においてそれぞれ上下方向の中央付近に設けられている。６個の支持片１１６は、ハンドル１１の補強及びカバー３に配置される際のガイドとして、主部１１１の後面の周縁付近に設けられている。４個の支持片１１６は、主部１１１の４隅にＬ字型に形成されている。また、残りの支持片１１６は、主部１１１の上端及び下端において２個の引掛爪１１５の間に形成されている。突部１１７は、後に説明するスイッチカバー４を保持するために主部１１１の前方の周縁付近に突出するように形成されている。
【００２２】
本実施形態の押釦スイッチ装置１の動作について図１及び図２を参照して説明する。
【００２３】
ハンドル１１の主部１１１が前方から押されると、弾性体１２には、前面に接している保持片１１４から力が加えられる。そして、力が加えられた弾性体１２の周縁部分は、後方に撓む。主部１１１がさらに押されることで、突出部１１２が弾性体１２に当たる。そして、押釦スイッチ２１は、弾性体１２を介して押釦２１１がハンドル１１に押されることによってオンする。また、ハンドル１１は、押操作されなくなると、押釦２１１の復帰力及び弾性体１２の復帰力によって、元の位置に戻る。
【００２４】
本実施形態の押釦スイッチ装置１では、弾性体１２が無い場合に比べて、ハンドル１１の押された場所に関係なく、ハンドル１１のがたつきを抑制することが可能である。
【００２５】
なお、ハンドル１１は、主部１１１を前方から見たとき左右が長手方向となる長方形に形成されているがこれに限らない。また、ハンドル１１の引掛爪１１５の数及び形成場所、支持片１１６の数、形状、及び形成場所が本実施形態と異なっていても構わない。例えば、主部１１１が正方形に形成され、４個の引掛爪１１５と４個の支持片１１６を備えていてもよい。
【００２６】
本実施形態の押釦スイッチ装置１は、ハンドル１１と、弾性体１２と、押釦スイッチ２１とを備える。ハンドル１１は、板状の主部１１１と、主部１１１の一面における中央から突出する突出部１１２とを備える。弾性体１２は、電気絶縁性を有する弾性材料によって、押釦スイッチ２１の押釦２１１よりも大きい板状に形成され、押釦スイッチ２１の押釦２１１と突出部１１２との間に配置される。
【００２７】
本実施形態の押釦スイッチ装置１は上述のように構成されるので、ハンドル１１が押されたときのハンドル１１のがたつきを抑制することが可能である。したがって、本実施形態の押釦スイッチ装置１では、操作性の向上を図ることが可能である。
【００２８】
本実施形態の押釦スイッチ装置１において、弾性体１２は、ハンドル１１に取り付けられることが好ましい。
【００２９】
本実施形態の押釦スイッチ装置１が上述のように構成されれば、ハンドル１１が押されたときのハンドル１１のがたつきをより抑制することが可能である。
【００３０】
また、本実施形態の押釦スイッチ装置１において、弾性体１２は、シリコーン樹脂製であることが好ましい。
【００３１】
さらに、本実施形態の押釦スイッチ装置１において、弾性体１２は、円形状に形成されることが好ましい。
【００３２】
本実施形態の押釦スイッチ装置１が上述のように構成されれば、弾性体１２に掛かる力を均一化することが可能である。
【００３３】
次に、本実施形態の押釦スイッチ装置１を備える電波発信器８の構造について図３及び図４を参照して説明する。
【００３４】
電波発信器８は、図３に示すように、６個の押釦スイッチ装置１と、プリント配線板２と、ハウジング３０と、６個のスイッチカバー４と、化粧カバー５とを備える。
【００３５】
電波発信器８には、６個の押釦スイッチ装置１が使用されている。なお、６個の押釦スイッチ装置１は、ハンドル１１の形状などの一部の構成を除いて全て共通の構成を有している。
【００３６】
プリント配線板２の前面には、６個の押釦スイッチ２１が実装されている。
【００３７】
ハウジング３０は、合成樹脂によって形成され、カバー３と、ボディ６とを備える。ボディ６は、前面が開口する矩形の箱型に形成されている。カバー３は、ボディ６の前面を塞ぐように矩形の板状に形成されている。ハウジング３０は、カバー３とボディ６が組み立てられた状態において、内部に押釦スイッチ装置１とプリント配線板２とを収納する。
【００３８】
カバー３は、図４に示すように、押釦スイッチ装置１に対応する６個の開口部３１を備えている。６個の開口部３１は、押釦スイッチ装置１のハンドル１１が前面に臨むように、主部１１１の形状に対応する矩形に形成されている。さらに、各開口部３１の周縁には、突部３１１が内側に突出するように形成されている（図３参照）。突部３１１には、複数の係止溝３１２が内縁側に開口するように形成されている。
【００３９】
ところで、ハンドル１１は、前方から開口部３１内に挿通される。ハンドル１１の引掛爪１１５は、前方から係止溝３１２を通って爪部１１５１をカバー３の後面に引っ掛かる。引掛爪１１５の爪部１１５１がカバー３の後面に引掛かることで、ハンドル１１は、前方向に対する移動範囲が規制される。また、ハンドル１１の主部１１１が後方に押されると、主部１１１の周縁の後面がカバー３の突部３１１の前面に当たって、ハンドル１１は、後方向に対する移動範囲が規制される。
【００４０】
例えば、主部１１１の周縁近くの右側で押された場合、ハンドル１１の右側は、ハンドル１１の右側周縁の後面がカバー３の突部３１１に当たることで押込みが規制される。ハンドル１１の左側は、引掛爪１１５が突部３１１に引っ掛かっていることによって前方への移動が規制される。ハンドル１１は、主部１１１の前後方向への傾きが制限されている。
【００４１】
カバー３は、図４に示すように、プリント配線板２を前面から支持する２対のリブ片３４１，３４２と、ボディ６と着脱可能に引っ掛かる６個の第１引掛爪３２と２個の第２引掛爪３５と、ボディ６にねじ止めするための２個のねじ挿通孔３３とを備えている。１対の支持片３４１は、カバー３の後面の上側にＴ字型に形成されている。もう１対の支持片３４２は、カバー３の後面の下側にＬ字型に形成されている。６個の第１引掛爪３２は、後面の左右両端に３個ずつ形成されている。２個の第２引掛爪３５は、後面の上端付近に形成されている。
【００４２】
ボディ６は、図３に示すように、底壁６１と、周壁６２とを備えている。ボディ６の周壁６２には、６対の第１リブ６３１と１対の第２リブ６３２とが設けられている。第１リブ６３１は、周壁６２の左右両端に設けられ、底壁６１付近がＬ字型に形成されている。つまり、プリント配線板２は、底壁６１との間に隙間が設けられて第１リブ６３１に保持される。第２リブ６３２は、周壁６２の上側に設けられ、プリント配線板２を保持するために略Ｌ字型に形成されている。ボディ６の底壁６１の前面には、カバー３のねじ挿通孔３３に対応するボス６５が形成されている。ボス６５には、前方からねじ止め可能な孔６５１が設けられている。カバー３の前方から挿通されたタッピングねじは、ボス６５の孔６５１にねじ込まれることで、カバー３とボディ６がねじ止めされる。ボディ６の周壁６２には、上下方向に沿って、カバー３の第１引掛爪３２が引掛けられる３対の第１係止片６６が設けられている。また、ボディ６の周壁６２の上端には、カバー３の第２引掛爪３５が引掛けられる1対の第２係止片６７が設けられている。ボディ６の底壁６１の前面には、電池６４１を周壁６２の下部から取り換え可能な状態に保持する電池ホルダー６４を備える。電池６４１は、プリント配線板２に電気的に接続されている。
【００４３】
スイッチカバー４は、合成樹脂によって矩形板状に形成され、ハンドル１１の主部１１１の前面の周縁付近に設けられている突部１１７に引っ掛かって主部１１１の各々の前面に配設されている。
【００４４】
化粧カバー５は、合成樹脂によって矩形板状に形成され、各押釦スイッチ装置１に対応する開口部５１を備え、カバー３の前面に取り付けられている。
【００４５】
なお、電波発信器８は、取付部７を備えることが好ましい。取付部７は、合成樹脂材料により形成され、壁などにねじ止めされて取り付けるための２個のねじ挿通孔７１と、ハウジング３０を保持するための３個の保持片７２を備えていることが好ましい。
【００４６】
本実施形態の電波発信器８の回路構成について、図５を参照して説明する。
【００４７】
電波発信器８は、図５に示すように、制御部８１と、電源部８２と、無線発信ユニット８３と、操作入力部８４とを備えている。なお、制御部８１と電源部８２と無線発信ユニット８３と操作入力部８４とを構成する回路素子は、プリント配線板２に実装されている。
【００４８】
電源部８２は、電池６４１を電源として、制御部８１、無線発信ユニット８３及び操作入力部８４に給電する。
【００４９】
操作入力部８４は、各押釦スイッチ２１のオン／オフを検出する回路が設けられている。
【００５０】
制御部８１は、操作入力部８４から各押釦スイッチ２１のオン／オフの状態を取得して操作信号を生成する。
【００５１】
無線発信ユニット８３は、制御部８１が生成する操作信号を、電波を媒体とする無線信号として送信する。
【００５２】
なお、電波発信器８において、押釦スイッチ装置１の数は６個に限定されない。
【００５３】
電波発信器８は、押釦スイッチ装置１と、無線発信ユニット８３と、押釦スイッチ装置１と無線発信ユニット８３とを収納するハウジング３０とを備える。ハウジング３０は、ハンドル１１を外部から押し操作可能なように構成されている。無線発信ユニット８３は、押釦スイッチ装置１が操作されることで、電波を媒体とする操作信号を発信するように構成される。
【００５４】
本実施形態の電波発信器８が上述のように構成されるので、電波発信器８は、押釦スイッチ装置１を備えることで、操作性の向上を図ることができる。
【００５５】
本実施形態の照明制御システムについて、図５及び図６を参照して説明する。
【００５６】
照明制御システムは、図５に示すように、電波発信器８と、１乃至複数の制御装置９とを備える。制御装置９の各々は各照明負荷９６を制御するように構成されている。
【００５７】
制御装置９は、図６に示すように、制御部９１と、受信部９２と、電源回路９３と、電源入力端子９０１と、制御端子９０２とを備える。
【００５８】
電源回路９３は、整流回路、降圧回路などを備える。整流回路は、例えばダイオードブリッジなどで構成され、電源入力端子９０１から入力される交流電圧・交流電流を脈流電圧・脈流電流に整流する。降圧回路は、例えばＤＣＤＣコンバータなどで構成されており、整流回路から入力される脈流電圧を所定（例えば、５Ｖ）の直流電圧に降圧する。電源回路９３は、降圧回路で降圧した直流電圧を制御部９１や受信部９２などに給電する。
【００５９】
制御部９１は、一方の制御端子９０２と、一方の電源入力端子９０１との導通を入切するように構成されている。例えば、制御部９１は、スイッチ素子９１０を備えている。制御部９１は、受信部９２が電波発信器８から受信した操作信号に応じて、スイッチ素子９１０をオン（又はオフ）することで、制御端子９０２と電源入力端子９０１を導通（又は遮断）させるように構成されることが好ましい。
【００６０】
また、照明制御システムは、図６に示すように、制御装置９に電気的に接続されるリモコントランス９４と、リモコンリレー９５とを備える。
【００６１】
リモコントランス９４は、１組の１次側端子９４１と、１組の２次側端子９４２とを備える。リモコントランス９４は、1次側端子９４１に電気的に接続される商用交流電源９００から供給される電圧、例えば１００Ｖの交流電圧を２４Ｖの交流電圧に降圧して２次側端子９４２から出力する。なお、このようなリモコントランス９４は従来周知であるから、詳細な構造についての説明は省略する。
【００６２】
リモコンリレー９５は、１組の主回路側端子９５１と、１組の操作側端子９５２とを備える。リモコンリレー９５は、商用交流電源９００から照明負荷９６への給電路９７を入切するように構成されている。さらに、リモコンリレー９５は、リモコントランス９４から駆動電力が供給されるように構成されている。
【００６３】
リモコンリレー９５の主回路側端子９５１は、商用交流電源９００から照明負荷９６への給電路９７に電気的に接続されている。つまり、照明負荷９６は、リモコンリレー９５の主回路側端子９５１を介して商用交流電源９００から電力が供給されるように構成されている。リモコンリレー９５の操作側端子９５２は、制御装置９の制御部９１に電気的に接続されている。また、操作側端子９５２は、リモコントランス９４の２次側端子９４２と電気的に接続されている。
【００６４】
リモコンリレー９５は、リレー巻線Ｌ１と、主接点Ｓ１と、補助接点Ｓ２と、1対のダイオードＤ１，Ｄ２とを備える。リモコンリレー９５は、リレー巻線Ｌ１への通電方向を切り換えることによって商用交流電源９００と照明負荷９６との間に設けられている主接点Ｓ１をオン・オフする。そして、リモコンリレー９５は、主接点Ｓ１に連動する補助接点Ｓ２によりリレー巻線Ｌ１に接続されているダイオードＤ１，Ｄ２を切り換えて通電方向を規制するように構成されている。ゆえに、制御部９１から送信される制御信号（励磁電流）でリレー巻線Ｌ１が励磁されて主接点Ｓ１を開閉させて給電路９７を入切する。なお、このようなリモコンリレー９５は従来周知であるから、詳細な構造についての説明は省略する。
【００６５】
本実施形態の照明制御システムの動作について、図６を参照して説明する。
【００６６】
電波発信器８の押釦スイッチ装置１の何れか一個が操作されると、電波発信器８の制御部８１は、操作された押釦スイッチ装置１に対応したアドレスデータが含まれる操作信号を無線発信ユニット８３を介して、１乃至複数の制御装置９へ送信する。
【００６７】
制御装置９の受信部９２は、電波発信器８から操作信号を受信する。制御部９１は、操作信号のアドレスデータが一致すると電源電圧の半周期より短い時間、スイッチ素子９１０をオンする。スイッチ素子９１０がオンすることで、リモコントランス９４からリモコンリレー９５の操作側端子９５２間に励磁電流（制御信号）が供給される。リモコンリレー９５の主接点Ｓ１は、励磁電流がリレー巻線Ｌ１に流れる向きに応じてオン又はオフする。例えば、照明負荷９６が消灯（主接点Ｓ１がオフ）している場合、制御部９１が電波発信器８から操作信号を受信すると、制御部９１は、スイッチ素子９１０をオンにする。そして、制御部９１は、リモコンリレー９５のリレー巻線Ｌ１にリレー巻線Ｌ１からダイオードＤ１の向きに励磁電流が流れるように制御する。リレー巻線Ｌ１に流れる励磁電流によって主接点Ｓ１がオンし、給電路９７に電流が通電されて照明負荷９６が点灯する。また、例えば、照明負荷９６が点灯（主接点Ｓ１がオン）している場合、制御部９１は、スイッチ素子９１０をオンにして、リレー巻線Ｌ１にダイオードＤ２からリレー巻線Ｌ１の向きに励磁電流が流れるように制御する。そして、リレー巻線Ｌ１に流れる励磁電流によって主接点Ｓ１がオフして給電路９７が切断されて照明負荷９６が消灯する。スイッチ素子９１０は、主接点Ｓ１のオン・オフ動作が完了すると、制御部９１によってオフされる。補助接点Ｓ２は、主接点Ｓ１と連動し、主接点Ｓ１のオン・オフ動作が完了すると、切り換わる。
【００６８】
なお、制御装置９は、タッチスイッチ部９９を備えることが好ましい。タッチスイッチ部９９がタッチ操作されると、制御部９１がリモコンリレー９５を駆動して照明負荷９６を制御することが好ましい。
【００６９】
本実施形態の照明制御システムは、電波発信器８と、制御装置９とを備える。制御装置９は、電波発信器８から発信された操作信号を受信し、当該操作信号に応じて照明負荷９６を点灯及び消灯させるように構成される。
（実施形態２）
本実施形態の照明制御システムについて、図７を参照して説明する。本実施形態の照明制御システムは、照明負荷９６を調光点灯するように構成されている点が実施形態１と相違する。なお、照明負荷９６を調光点灯するように構成されている以外は、実施形態１と同様の構成及び機能を有する。実施形態１と重複する構成については、同じ符号を付し、詳しい説明は省略する。
【００７０】
本実施形態の照明制御システムは、照明負荷９６を調光レベルに対応して点灯させるための調光点灯装置９８を備える。また、制御装置９は、調光点灯装置９８に制御部９１から調光信号を送信させる調光端子９０３を備える。
【００７１】
本実施形態の照明制御システムは、電波発信器８から送信される操作信号（無線信号）に対応して、照明負荷９６の調光レベルを変更できるように構成されている。例えば、制御部８１が生成した操作信号によって、制御部９１が現状の調光レベルよりも高い調光レベルに応じた調光点灯信号を調光点灯装置９８に送信するように構成される。また、反対に、制御部８１が生成した操作信号によって、現状の調光レベルよりも低い調光レベルに応じた調光点灯信号を調光点灯装置９８に送信し、照明負荷９６がより暗く点灯するように構成される。
【００７２】
調光点灯装置９８は、入力端子９８１と、出力端子９８２と、接続端子９８３と、トライアックと、制御部とを備える。調光点灯装置９８の入力端子９８１は、制御装置９の調光端子９０３と電気的に接続されて調光点灯信号（直流電圧）を受信する。出力端子９８２は、照明負荷９６と電気的に接続されている。接続端子９８３は、リモコンリレー９５の一方の主回路側端子９５１と電気的に接続されていることで、照明負荷９６への電源電圧が給電されている。調光点灯装置９８の制御部は、トライアックを駆動して位相制御を行うことで、照明負荷９６に給電される電源電圧の導通角を制御部９１からの調光点灯信号（直流電圧）に応じて変化させる。
【００７３】
例えば、制御装置９の制御部９１から、現状の調光レベルよりも低い調光レベルに応じた調光点灯信号（直流電圧）を受信した場合、調光点灯装置９８の制御部は、トライアックを駆動させる。そして、調光点灯装置９８は、照明負荷９６に供給される交流電圧の導通角を調光レベルに対応した導通角とする。
【００７４】
本実施形態の照明制御システムにおいて、制御装置９は、電波発信器８から発信された操作信号（無線信号）を受信し、当該操作信号に応じて照明負荷９６を調光点灯させるように構成されている。
【符号の説明】
【００７５】
１  押釦スイッチ装置
１１  ハンドル
１１１  主部
１１２  突出部
１２  弾性体
２１  押釦スイッチ
２１１  押釦
３０  ハウジング
８  電波発信器
８３  無線発信ユニット
９  制御装置
９６  照明負荷
【図１】
2016134658.tif 000003
【図２】
2016134658.tif 000004
【図３】
2016134658.tif 000005
【図４】
2016134658.tif 000006
【図５】
2016134658.tif 000007
【図６】
2016134658.tif 000008
【図７】
2016134658.tif 000009